(57)【要約】【課題】  透明板に表示器を取り付けた弾球遊技機において、遊技領域の視認性を良好にする。【解決手段】  遊技盤１の前方に配置される外ガラス５ａ、内ガラス５ｂの間に透明無機ＥＬディスプレイ基板７を配したが、これが透明表示器であるから背後の視認性が低下せず、遊技盤１のデザイン及びゲージ構成の自由度が向上する。内ガラス５ｂに駆動回路の一部である配線電極１４が配設されているから、内ガラス５ｂに透明無機ＥＬディスプレイ基板７を貼り合わせるだけで、駆動回路と透明無機ＥＬディスプレイ基板７との電気的配線を接続することができる。配線電極１４は透明であるから遊技盤１の視認性を損なうことはない。【選択図】  図１
2005253604.tif 000002
【特許請求の範囲】
【請求項１】
遊技盤の前方に２枚重ねで配置される透明板を備えた弾球遊技機において、
前記２枚の透明板の間に透明または透過型表示器を配したことを特徴とする弾球遊技機。
【請求項２】
請求項１記載の弾球遊技機において、
前記透明または透過型表示器の表示部の背後に釘、入賞口または役物が配置されていることを特徴とする弾球遊技機。
【請求項３】
請求項１または２記載の弾球遊技機において、
前記透明または透過型表示器は、前記２枚の内で前記遊技盤側となる内側透明板に貼り合わせてあることを特徴とする弾球遊技機。
【請求項４】
請求項３記載の弾球遊技機において、
前記内側透明板に、前記透明または透過型表示器の駆動回路の少なくとも一部が配設されていることを特徴とする弾球遊技機。
【請求項５】
請求項４記載の弾球遊技機において、
前記透明または透過型表示器の駆動回路が設けられている回路基板が、前記２枚の透明板を保持して扉状に開閉可能に前記弾球遊技機の本体側に取り付けられた前扉に固定されていることを特徴とする弾球遊技機。
【請求項６】
請求項４または５記載の弾球遊技機において、
前記透明または透過型表示器の駆動回路と前記弾球遊技機の本体側に配置された表示制御用基板との接続をコネクタを用いて行うことを特徴とする弾球遊技機。
【請求項７】
請求項１〜６のいずれか１項に記載の弾球遊技機おいて、
前記透明表示器が透明無機ＥＬディスプレイであることを特徴とする弾球遊技機。
【請求項８】
請求項１〜６のいずれか１項に記載の弾球遊技機おいて、
前記透明表示器が透明有機ＥＬディスプレイであることを特徴とする弾球遊技機。
【請求項９】
請求項１〜６のいずれか１項に記載の弾球遊技機おいて、
前記透過型表示器が液晶のシャッターであることを特徴とする弾球遊技機。
【請求項１０】
請求項１〜９のいずれか１項に記載の弾球遊技機おいて、
前記内側透明板は板ガラスであることを特徴とする弾球遊技機。
【発明の詳細な説明】
【技術分野】
【０００１】
本発明は、透明または透過型表示器を備えるパチンコ機等の弾球遊技機の技術分野に属する。
【背景技術】
【０００２】
特開２００１−２４６０９７号公報（特許文献１）には、パチンコ機において、遊技盤の前面に配設された２枚の板ガラスのいづれかに可変表示器を固着し、また板ガラスの表面に固着した透視ケーブルにてＣＰＵと可変表示器とを接続して可変表示器に表示用の電気信号を伝送する構成が開示されている。
【０００３】
この特許文献１のパチンコ機は可変表示器が遊技盤上に配設されていないので、遊技球の落下経路が可変表示器によって制限されることを少なくしていることが特徴である。
【特許文献１】特開２００１−２４６０９７号公報
【発明の開示】
【発明が解決しようとする課題】
【０００４】
しかし、上記従来の弾球遊技機は、可変表示器が遊技領域を制限することは無いものの、可変表示器として７セグメント表示器やドットマトリクス表示器を用いているので、可変表示器の後方の領域における遊技盤や遊技球の挙動の視認性が低下する。特に、役物や入賞口のように、入球の有無や装置内部での遊技球の挙動を遊技者に視認させることが要求される部品を表示器の背後に配設できないので、遊技盤の釘、役物、入賞口等のレイアウト（いわゆるゲージ構成）が大きく制限されるという問題があった。
【課題を解決するための手段】
【０００５】
上記目的を達成するため、請求項１の弾球遊技機は、遊技盤の前方に２枚重ねで配置される透明板を備えた弾球遊技機において、前記２枚の透明板の間に透明または透過型表示器を配したことにより透明または透過型表示器を透して背後が見えるから、視認性を向上させることが可能になる。また、透明または透過型表示器が遊技盤の視認性を損なわないから、遊技盤のデザイン及びゲージ構成の自由度が向上する。
【０００６】
なお、透明板としてはガラス板やアクリル樹脂等の透明樹脂板が例示される。２枚とも同材質としてもよいし、別々の材質（例えば内側をガラス、外側を樹脂板）としてもよい。
【０００７】
請求項２の弾球遊技機は、請求項１に記載の弾球遊技機において、前記透明または透過型表示器の表示部の背後に釘、入賞口または役物が配置されていることを特徴とし、上述のように遊技盤のデザイン及びゲージ構成の自由度が向上する。また透明または透過型表示器の背後に釘、入賞口または役物を配置することを可能にしたから、落下してくる遊技球の落下経路を複雑にすることによる面白みを向上させることもできる。
【０００８】
請求項３の弾球遊技機は、請求項１または２に記載の弾球遊技機において、前記透明または透過型表示器は、前記２枚の内で前記遊技盤側となる内側透明板に貼り合わせてあることにより、不意の事故による外側の透明板の破損時に前記表示器の破損を避けることができ、ホール設置後の交換も容易になる。
【０００９】
請求項４の弾球遊技機は、請求項３に記載の弾球遊技機において、前記内側透明板に、前記透明または透過型表示器の駆動回路の少なくとも一部、例えば前記透明または透過型表示器に表示用の電気信号を伝送するための配線電極が配設されているから、内側透明板を用いて透明または透過型表示器との電気的配線を接続することができる。
【００１０】
この内側透明板に配設される駆動回路（その一部）は、少なくとも遊技者に視認される領域では透明にすれば、これが視認性を損なうことはない。
ところで、透明または透過型表示器の駆動回路には例えばＩＣ等の素子が必要であるから、それらを実装するための回路基板を備えなければならない。また、弾球遊技機の透明板は、扉状に開閉可能に弾球遊技機の本体側に取り付けられた前扉によって保持されているのが普通である。
【００１１】
駆動回路を弾球遊技機の本体側に配置して、透明板に取り付けられた表示器との間を特許文献１のパチンコ機のようにケーブルでつないだ場合、前扉の開閉に伴う屈伸の繰り返しでケーブルが断線するおそれがある。その場合、特許文献１のパチンコ機ではケーブルだけを交換することは困難であるから可変表示器までも交換しなければならない。もし、ケーブルだけを交換可能にするなら、屈伸させられる部分だけを独立のケーブルにして、また透明板にもコネクタを設けなければならないが、透明板にコネクタを設けるのは容易ではない。線数が多くなればコネクタも大型化するので、実質上不可能である。
【００１２】
しかしながら、請求項５記載の弾球遊技機は、請求項４記載の弾球遊技機において、前記透明または透過型表示器の駆動回路が設けられている回路基板が、前記２枚の透明板を保持して扉状に開閉可能に前記弾球遊技機の本体側に取り付けられた前扉に固定されているから、回路基板と透明板側とをつなぐ配線が前扉の開閉に伴って屈伸変形することはない。よって、屈伸変形の繰り返しが原因でこの部分が断線するおそれもない。
【００１３】
回路基板と本体側との電気的接続はフレキシブルケーブル等で行うとしても、回路基板（駆動回路）への配線本数は回路基板と表示器との間の配線本数に比べれば格段に少ないから、この部分の接続にはコネクタを使用できる。すなわち、請求項６記載のように、請求項４または５記載の弾球遊技機において、前記透明または透過型表示器の駆動回路と前記弾球遊技機の本体側に配置された表示制御用基板との接続をコネクタを用いて行う構成にできる。こうすれば、かりに断線しても、その部分だけを容易に交換できる。
【００１４】
また、弾球遊技機においては、面替えによる新台入れ替えが行われることがある。具体的には、遊技盤、主制御基板（遊技盤の可変入賞装置等を制御し、大当たりの抽選も行う。）及び表示制御基板等の遊技内容に関わる主要部だけを交換して、枠装置は既設のものを使用する入れ替えである。その際に、請求項６の構成であれば、表示器の駆動回路と古い表示制御用基板との切り離しも新たな表示制御用基板との接続もコネクタによってきわめて容易に行える。
【００１５】
さらには、回路基板と表示制御用基板とをコネクタを用いて電気的に接続するので、接続箇所を減らすことができ、ホール等での透明または透過型表示器の設置、交換を容易にすることができる。この設置、交換時には透明または透過型表示器、透明板、回路基板等からなるディスプレイユニット単位での作業が可能となり作業工数の低減が図れる。
【００１６】
請求項７の弾球遊技機は、請求項１〜６のいずれか１項に記載の弾球遊技機において、前記透明表示器が透明無機ＥＬディスプレイであることを特徴とする。
無機ＥＬディスプレイは、例えば液晶のように偏光板を使わないため、透過率が高い表示器なので、透明無機ＥＬディスプレイが形成されたガラス基板を配置することによって、その背後の遊技盤等の視認性を低下することを防ぐことが他の表示器に比べ、より一層可能となる。
【００１７】
請求項８の弾球遊技機は、請求項１〜６のいずれか１項に記載の弾球遊技機において、前記透明表示器が透明有機ＥＬディスプレイであることを特徴とする。
有機ＥＬディスプレイは、例えば液晶のように偏光板を使わないため、透過率が高い表示器なので、透明有機ＥＬディスプレイが形成されたガラス基板を配置することによって、その背後の遊技盤等の視認性を低下することを防ぐことが他の表示器に比べ、より一層可能となる。
【００１８】
請求項９の弾球遊技機は、請求項１〜６のいずれか１項に記載の弾球遊技機において、前記透過型表示器が液晶のシャッターであることを特徴とする。
液晶は、透過率は低いものの、バックライトを当てることにより背面が透過するので、液晶のシャッターが形成された基板を配置することによって、その背後の遊技盤等の視認性を低下することを防ぐことが他の表示器に比べ、より一層可能となる。
【００１９】
なお、請求項７の無機ＥＬディスプレイ及び請求項８の有機ＥＬディスプレイは透明表示器の代表例でもあり、請求項９の液晶シャッターは透過型表示器の代表例でもあるが、本発明の透明または透過型表示器はこれらに限定されるわけではない。
【００２０】
請求項１０記載の弾球遊技機は、請求項１〜９のいずれか１項に記載の弾球遊技機おいて、前記内側透明板は板ガラスであるから、耐擦過性に優れており、遊技球が接触する弾球遊技機に好適である。
【発明を実施するための最良の形態】
【００２１】
以下、本発明の実施形態について図１〜３を用いて説明する。図１は本発明の弾球遊技機の１種であるパチンコ機の要部（遊技盤）の正面概要図であり、図２は同部分の断面概要図、図３は図２における可変表示器が形成された基板の端部の拡大図である。尚、図示しない部分（説明も省略）はすべて公知技術に従っている。
【００２２】
遊技盤１には障害釘２や入賞口３（図示は１つだけであるが、アタッカー式の大入賞口やチューリップ式の可変入賞口等もある。）などが装着されており、その前面側（遊技者側）には前扉４に保持された板ガラス５ａ（以下、外ガラス）、５ｂ（以下、内ガラス）が配されている。前扉４は図示しない前面枠に軸支されていて扉状に開閉できるが、図１、２は前扉４を閉じた状態を示している。この状態では、遊技盤１と内ガラス５ｂとの間に、遊技領域となって遊技球６を流下させる空間が確保されている。外ガラス５ａ、内ガラス５ｂが透明板に該当し、内ガラス５ｂは内側透明板である。
【００２３】
内ガラス５ｂには透明無機ＥＬディスプレイ基板７（透明表示器に該当）が遊技者から見て手前側に貼り付けられており、遊技者から容易に視認できる位置にある。これにより透明無機ＥＬディスプレイ基板７と遊技盤１に配置された障害釘２や入賞口３、及び遊技球６が接触することが無くなるので、遊技盤１のデザインやレイアウト及び遊技球６の落下経路の自由度が増え、更に透明無機ＥＬディスプレイ基板７の割れ等の破損も無くなる。
【００２４】
ここで、本実施形態における透明無機ＥＬディスプレイ基板７の構造を断面図である図３により説明する。
透明無機ＥＬディスプレイ基板７はガラス基板８とその上に順次薄膜として積層された、第１電極９、第１絶縁膜１０、発光層１１、第２絶縁膜１２、および第２電極１３より形成されている。ここで、上記第１電極９〜第２電極１３の膜は総膜厚でおよそ２μｍぐらいの非常に薄い膜である。
【００２５】
第１電極９と第２電極１３はストライプ状で互いに直交しており、例えばＩＴＯ膜にて構成されている。この第１電極９と第２電極１３とが直交した部分が、電極９、１３の膜間に挟まれている第１絶縁膜１０、第２絶縁膜１２および発光層１１とともに画素を構成しており、第１電極９、第２電極１３間に電圧を印加することで、この画素が発光可能となっている。
【００２６】
発光層１１は例えば、ＺｎＳ等の半導体材料にて構成されており、発光中心としては、Ｍｎ、Ｔｂ、Ｓｍ等を用いることができる。尚、発光中心にＭｎを用いた場合では黄橙色、Ｔｂを用いた場合では緑色、Ｓｍを用いた場合では赤色の発光を生じる。また、第１絶縁膜１０および第２絶縁膜１２はＴｉＯ2、Ａｌ2Ｏ3、ＳｉＯ2、Ｓｉ3Ｎ4等の誘電体により構成されている。
【００２７】
透明無機ＥＬディスプレイ基板７を構成するガラス基板８、第１電極９〜第２電極１３の各薄膜は全てほぼ透明であるので、この透明無機ＥＬディスプレイ基板７は透明の可変表示器が形成された基板と言うことができる。
【００２８】
図１に示されるとおり、透明無機ＥＬディスプレイ基板７は遊技盤１の前方に配置されているが、上述したとおり全体がほぼ透明な透明表示器が形成された基板であるから、従来一般、弾球遊技機に使用されている可変表示器である液晶ディスプレイと比較すると、偏光板やカラーフィルタが必要でない為、透過率が高い表示器である。よって、遊技盤１等の視認性を低下させることがより一層なく、遊技者は透明無機ＥＬディスプレイ基板７の背後における遊技球６の挙動や役物等の動作を良好に視認できる。また、従来一般の弾球遊技機では遊技盤１に可変表示器が配置されているが、図２に示されるとおり、透明無機ＥＬディスプレイ基板７は遊技盤１よりも前方に置かれていて、従来一般の弾球遊技機に比べ、より迫力のある可変表示が可能である。
【００２９】
図３に示すように、内ガラス５ｂには透明無機ＥＬディスプレイ基板７の第１電極９および第２電極１３と導通するように例えばＩＴＯ膜の配線電極１４が配設されている。
透明無機ＥＬディスプレイ基板７は透明な接着剤１５によって内ガラス５ｂに接着されており、透明無機ＥＬディスプレイ基板７の第１電極９および第２電極１３と内ガラス５ｂの配線電極１４とは（図３では第１電極９と配線電極１４のみを図示）透明な接着剤１５に混入された導電粒子１６（樹脂粒子にＡｕメッキを施したもの。例えば積水化学工業社製のミクロパールＡｕ）によって電気的な導通が確保されている。つまり、透明無機ＥＬディスプレイ基板７は表示領域となるユニットであり、これを内ガラス５ｂに接着することで第１電極９および第２電極１３と配線電極１４とを電気的に接続させている。
【００３０】
配線電極１４は、図１に示されるとおり内ガラス５ｂの上辺に集中させて前扉４の中でフレキシブル回路基板１７（ＦＰＣ）により、透明無機ＥＬディスプレイ基板７を駆動するための集積回路が搭載された回路基板１８と電気的に接続されている。また回路基板１８は前扉４にビス１９を用いて固定されている。尚、ＦＰＣ１７と配線電極１４、回路基板１８とは異方性導電接着剤（ＡＣＦ）等によって電気的に接続されており、回路基板１８、ＦＰＣ１７及び配線電極１４により駆動回路が構成されている。
【００３１】
前扉４の中にＦＰＣ１７及び回路基板１８が配設されることにより、これらの部位は遊技者から見えないため透明無機ＥＬディスプレイ基板７の透明性を生かした弾球遊技機となっている。また、ＦＰＣ１７は遊技領域から外れた場所に配置されているので、ＦＰＣ１７が遊技球６の通路を制限することがなく、遊技領域を有効に使用できる。また配線電極１４を内ガラス５ｂの上辺に集中させてＦＰＣ１７と接続する構成であるから、接続部を１箇所にしてＦＰＣ１７の配線量を低減できる。
【００３２】
透明無機ＥＬディスプレイ基板７を駆動するための回路基板１８とディスプレイに映像信号や駆動電源を供給する表示制御基板２１とは、それぞれの回路基板１８、２１に半田付けで配置されたコネクタ２０ａ、２０ｂとワイヤハーネス２２によって電気的に接続されている。なお、図示は省略したが表示制御基板２１は、大当たり抽選等を行い大入賞口や可変入賞口の開閉を制御する主制御基板に接続されており、主制御基板から与えられる指令やデータに基づいて透明無機ＥＬディスプレイ基板７の表示を制御する。
【００３３】
回路基板１８と表示制御基板２１とをコネクタ２０ａ、２０ｂとワイヤハーネス２２によって電気的に接続するので、接続箇所を減らすことができ、ホール等での設置、交換を容易にすることができる。なお、設置、交換時には扉側に設置された透明無機ＥＬディスプレイ基板７、内ガラス５ｂ、ＦＰＣ１７、回路基板１８、コネクタ２０ａからなるディスプレイユニット単位での作業が可能となり作業工数の低減が図れる。
【００３４】
以上説明したとおり、実施形態のパチンコ機は、遊技盤１の前方に２枚重ねで配置される外ガラス５ａ、内ガラス５ｂの間に透明無機ＥＬディスプレイ基板７を配したが、これが透明表示器であるから背後の視認性が低下せず、遊技盤１のデザイン及びゲージ構成の自由度が向上する。遊技盤１の釘、入賞口、役物等の配置（ゲージ構成）の自由度が向上するので、遊技球６の落下経路を複雑にすることによる面白みを向上させることもできる。
【００３５】
また、透明無機ＥＬディスプレイ基板７は、内ガラス５ｂに貼り合わせてあるので、不意の事故による外ガラス５ａの破損時に透明無機ＥＬディスプレイ基板７までもが破損するのを避けることができる。
【００３６】
その内ガラス５ｂに駆動回路の一部である配線電極１４が配設されているから、内ガラス５ｂに透明無機ＥＬディスプレイ基板７を貼り合わせるだけで、駆動回路と透明無機ＥＬディスプレイ基板７との電気的配線を接続することができる。しかも、配線電極１４は透明であるから、これが遊技盤１の視認性を損なうことはない。
【００３７】
透明無機ＥＬディスプレイ基板７を駆動するための集積回路が搭載された回路基板１８が、外ガラス５ａ及び内ガラス５ｂを保持する前扉４に固定されているから、回路基板１８と内ガラス５ｂとをつなぐＦＰＣ１７が前扉４の開閉に伴って屈伸変形することはなく、屈伸変形が原因でＦＰＣ１７が断線するおそれもない。
【００３８】
回路基板１８と本体側の表示制御基板２１との接続をコネクタ２０ａ、２０ｂ及びワイヤハーネス２２を用いて行うので、前扉４の開閉にう屈伸変形の繰り返しが原因でワイヤハーネス２２が断線しても、これだけを交換すればよく、その交換作業も容易である。
【００３９】
また、面替えによる新台入れ替えを行う場合の回路基板１８と古い表示制御基板２１との切り離しも新たな表示制御基板２１との接続もコネクタによってきわめて容易に行える。
【００４０】
以上、本発明の実施の形態を説明したが、本発明は上記の例に限定されるものではなく、本発明の要旨を逸脱しない範囲でさまざまに実施できることは言うまでもない。
実施形態では弾球遊技機としてパチンコ機を例示したが、他の形式の弾球遊技機（例えばアレンジボール式パチンコ機やじゃん球遊技機）にも適用可能であるし、スロットマシン等の遊技機にも適用可能である。
【００４１】
また、実施形態では透明無機ＥＬディスプレイを用いた弾球遊技機を例示したが、透明有機ＥＬディスプレイや透過型液晶のシャッターなどを代表とする透明または透過型表示器を用いたものにも適用可能である。
【００４２】
また、実施形態では表示制御基板によって透明無機ＥＬディスプレイの表示を制御する構成としているが、表示制御基板を設けずに主制御基板が透明無機ＥＬディスプレイの表示を制御する構成とすることもできる。
【００４３】
また、特開平６−１３４１２２号公報に開示されるパチンコ機用複合ガラス板のように、２枚の透明板を額縁状のガラス取付枠にはめ付けて一体構造としたものでも、ガラス取付枠にＦＰＣを通すための穴を設ければ本発明を適用することが可能である。
【図面の簡単な説明】
【００４４】
【図１】本発明の実施例におけるパチンコ機の正面概要図である。
【図２】図１のパチンコ機の断面概要図である。
【図３】図２における可変表示器が形成された基板の端部の拡大図である。
【符号の説明】
【００４５】
１・・・遊技盤、
２・・・障害釘、
３・・・入賞口、
４・・・前扉、
５ａ・・・外ガラス（透明板）、
５ｂ・・・内ガラス（内側透明板）、
６・・・遊技球、
７・・・透明無機ＥＬディスプレイ基板（透明表示器）、
１４・・・配線電極（駆動回路）、
１７・・・フレキシブル回路基板、
１８・・・回路基板（駆動回路）、
２０ａ、２０ｂ・・・コネクタ、
２１・・・表示制御基板（表示制御用基板）、
２２・・・ワイヤハーネス。
【図１】
2005253604.tif 000003
【図３】
2005253604.tif 000004
【図２】
2005253604.tif 000005